(57)【要約】【課題】両面シールから剥離紙が分離せず、剥離紙がゴミになるのを防止でき、使用した後の両面シールの粘着層を保護でき、その粘着性の劣化を防止することができ、何度も使用することができる両面シール製品を提供する。【解決手段】四角形状の両面シール製品１であり、基材１１の両面に粘着層１２が形成された両面シール１０と、両面シール１０の粘着層１２に接着・剥離自在に重合された剥離紙２０とからなり、剥離紙２０に、一端は剥離紙２０の端縁にまで達しており、他端は剥離紙２０の端縁に達していない切断可能な分離線２１が形成され、分離線２１を境界にして、剥離紙２０が剥離部分３１と残留部分３２とに分けられ、剥離部分３１と残留部分３２は、切れずに繋がっており、分離線２１が剥離紙２０の四辺のうち、三辺の端縁に沿って連続して形成され、分離線２１と剥離紙２０の端縁との間の細長い部分が残留部分３２を形成している。【選択図】        図１
2004238563.tif 000002
【特許請求の範囲】
【請求項１】
基材の両面に粘着層が形成された両面シールと、
該両面シールの一方の粘着層に、粘着・剥離自在に重ね合わされた剥離紙とからなる両面シール製品であって、
該両面シール製品が、四辺を備えた四角形状であり、
該剥離紙に、一端は剥離紙の端縁にまで達しており、他端は剥離紙の端縁に達していない切断可能な分離線が形成されており、
該分離線を境界にして、前記剥離紙が剥離部分と残留部分とに分けられており、該剥離部分および残留部分は、切れずに繋がっており、
前記分離線が、剥離紙の四辺のうち、三辺の端縁に沿って連続して形成され、
該分離線と前記剥離紙の端縁との間の細長い部分が、前記残留部分を形成している
ことを特徴とする両面シール製品。
【請求項２】
前記分離線の一端が、該一端に隣接する剥離紙の隅部から離れて形成されており、
前記分離線のうち一端から延びた部分が、該一端に隣接する剥離紙の一端縁に沿って斜めに形成された
ことを特徴とする請求項１記載の両面シール製品。
【請求項３】
前記分離線の他端に、破れ防止部が形成された
ことを特徴とする請求項１記載の両面シール製品。
【発明の詳細な説明】
【０００１】
【発明の属する技術分野】
本発明は、両面シール製品に関する。
【０００２】
【従来の技術】
図６は従来の両面シール製品１０１  の使用説明図である。同図に示すように、従来の両面シール製品１０１  は、基材の両面に粘着層が形成された両面シール１０の一方の粘着層に、左右一対の剥離紙１２０，１２０  が重ね合わされたものである。この両面シール製品１０１  は、薄くて軽く安全ピンよりも安全なので、街頭募金のときに募金者に渡す赤い羽根２に貼り付けて、利用されている。
この赤い羽根２を募金者に取り付けるときには、両面シール１０から剥離紙１２０，１２０  を剥がし取り、両面シール１０の粘着層を露出させて、募金者の上着胸部分など所望の場所に押し付けることにより、赤い羽根２を簡単に取り付けることができる。
【０００３】
【発明が解決しようとする課題】
しかるに、従来の両面シール製品１０１  には、以下の（ｉ）〜（ｉｉ）に示す問題がある。
（ｉ）両面シール１０から剥がし取られた剥離紙１２０  は不要なので、捨てられるとゴミとなり散らかってしまう。
（ｉｉ）剥離紙１２０  を捨ててしまうと、使用した後に両面シール１０の粘着層に剥離紙１２０  を再び重ね合わせることができず、粘着層を保護できない。このため、両面シール１０の粘着層の粘着性は劣化してしまい、何度も使用することができない。
【０００４】
本発明はかかる事情に鑑み、両面シールから剥離紙が分離せず、剥離紙がゴミになるのを防止でき、使用した後の両面シールの粘着層を保護でき、その粘着性の劣化を防止することができ、何度も使用することができる両面シール製品を提供することを目的とする。
【０００５】
【課題を解決するための手段】
請求項１の両面シール製品は、基材の両面に粘着層が形成された両面シールと、該両面シールの一方の粘着層に、粘着・剥離自在に重ね合わされた剥離紙とからなる両面シール製品であって、該両面シール製品が、四辺を備えた四角形状であり、該剥離紙に、一端は剥離紙の端縁にまで達しており、他端は剥離紙の端縁に達していない切断可能な分離線が形成されており、該分離線を境界にして、前記剥離紙が剥離部分と残留部分とに分けられており、該剥離部分および残留部分は、切れずに繋がっており、前記分離線が、剥離紙の四辺のうち、三辺の端縁に沿って連続して形成され、該分離線と前記剥離紙の端縁との間の細長い部分が、前記残留部分を形成していることを特徴とする。
請求項２の両面シール製品は、請求項１記載の発明において、前記分離線の一端が、該一端に隣接する剥離紙の隅部から離れて形成されており、前記分離線のうち一端から延びた部分が、該一端に隣接する剥離紙の一端縁に沿って斜めに形成されたことを特徴とする。
請求項３の両面シール製品は、請求項１記載の発明において、前記分離線の他端に、破れ防止部が形成されたことを特徴とする。
【０００６】
【発明の実施の形態】
つぎに、本発明の実施形態を図面に基づき説明する。
図１は本実施形態の両面シール製品１の平面図である。図２は（Ａ）は本実施形態の両面シール製品１の正面図、（Ｂ）は（Ａ）図の拡大図である。図１〜図２に示すように、本実施形態の両面シール製品１は、両面シール１０と剥離紙２０とから構成されたものである。この両面シール製品１は、四辺を備えた四角形状である。
【０００７】
まず、両面シール１０を説明する。
図２に示すように、両面シール１０は、基材１１の両面に粘着層１２，１２が形成されたものである。
基材１１は、薄いシートであり、その素材は合成樹脂や紙等であるが、種々の素材を採択しうる。
粘着層１２は、前記基材１１の両面に、水性感圧接着剤やホットメルト感圧接着剤などの接着剤を塗布することにより形成することができる。
【０００８】
つぎに、剥離紙２０を説明する。
前記両面シール１０の一方の粘着層１２には、剥離紙２０が粘着・剥離自在に重ね合わされている。剥離紙２０は、前記両面シール１０と同じ形状である。
この剥離紙２０は、ポリプロピレン等の合成樹脂製の薄い透明なシートであるが、紙の表面にシリコーン層が形成されたシートであってもよく、前記粘着層１２に粘着・剥離自在なシートであれば、種々の素材を採択しうる。
この剥離紙２０の色は、透明なので目立たず人目につかないので好適であるが、白色や赤色であってもよく、色には特に限定はない。
【０００９】
前記両面シール１０には、その粘着層１２の粘着力によって剥離紙２０が粘着しているが、粘着層１２の粘着力は弱いので、両面シール１０から剥離紙２０を簡単に剥がすことができるのである。
なお、両面シール１０の他方の粘着層１２には、紙の表面にシリコーン層が形成された剥離紙等の台紙４を重ね合わせておくことにより、この粘着層１２の粘着力が劣化するのを防止できるので、好適である。
【００１０】
さて、図１に示すように、この剥離紙２０には、切断可能な分離線２１が形成されている。この分離線２１は、その一端が剥離紙２０の端縁にまで達しており、他端は剥離紙２０の端縁に達していない。
この分離線２１は、以下の部分（２１ａ）〜（２１ｃ）が連続して形成されたものである。
（２１ａ）剥離紙２０の左端縁上部から、剥離紙２０の上端縁に沿って延びた上端部分
（２１ｂ）剥離紙２０の側端縁に沿って延びた側端部分
（２１ｃ）剥離紙２０の下端縁に沿ってその中間部分まで延びた下端部分
【００１１】
この分離線２１を境界にして、剥離紙２０は残留部分３１と剥離部分３２とに分けされている。この分離線２１は、その一端が剥離紙２０の端縁にまで達しており、他端は剥離紙２０の端縁に達していないから、前記残留部分３１および剥離部分３２は、切れずに繋がっている。
【００１２】
前記分離線２１が、剥離紙２０の四辺のうち、三辺の端縁に沿って連続して形成されている説明のため、剥離紙２０の残留部分３１において、その上端部分を残留上端部３１ａ  で示し、その側端部分を残留側端部３１ｂ  で示し、その下端部分を残留下端部３１ｃ  で示す。
なお、図では分離線２１は剥離紙２０の上辺、右辺および下辺の三辺に沿って形成されているが、剥離紙２０の四辺のうち、どの三辺に沿って形成させるかは任意である。
【００１３】
図３は両面シール１０から剥離紙２０が剥がされたときの概略斜視図である。同図に示すように、両面シール１０から剥離紙２０の剥離部分３２を剥離させると、分離線２１により剥離部分３２と残留部分３１は分けられているので、剥離部分が両面シールから剥離しても残留部分３１は両面シール１０に貼り付いたまま残るのである。
なお、図１に示すように、剥離紙２０の適所に、剥がし始める位置を示す目印２２、例えば「はがす」の文字や矢印等を印刷しておくと、剥がし始める位置がわかり、使いやすくなるので好適である。
【００１４】
しかも、図１に示すように前記分離線２１は、剥離紙２０の端縁に沿って形成されており、この分離線２１と剥離紙２０の端縁との間の細長い部分が、前記残留部分３１を形成している。このため、剥離紙２０の中央部分に広い領域の剥離部分３２を形成することができる。
したがって、剥離部分３２を剥離させると、両面シール１０の粘着層１２の中央部分を大きく露出させることができるので、両面シール１０を貼りやすい。
なお、分離線２１は、必ずしも剥離紙２０の周端縁に沿って形成されていなくてもよく、剥離紙２０の中央部分に形成されていてもよい。
【００１５】
さらに、前記分離線２１が、剥離紙２０の四辺のうち、三辺の端縁に沿って連続して形成されているから、残留部分３１をコの字状にすることができる。このため、両面シール１０から剥離部分３２を剥離させたときに、勢い余って残留部分３１の一部分である残留上端部３１ａ  が剥がれたとしても、残留側端部３１ｂ  まで剥がれることはなく、残りの残留側端部３１ｂ  および残留下端部３１ｃ  を両面シール１０に残留させることができる。このため、剥離部分３２の剥離時に、剥離部分３２に追随して残留部分３１までもが剥離してしまうことを防止することができる。
【００１６】
分離線２１における上端部分２１ａ  は、残留側端部３１ｂ  に連続する部分（図中右側）では剥離紙２０の上端縁に沿って形成され、途中で斜め下方に向けて屈曲しており、斜め部分２１Ｓ  が形成されている（図中左側）。この斜め部分２１Ｓ  は剥離紙２０の左端縁に達しているため、分離線２１の一端は、剥離紙２０の左隅部から離れた位置に形成されており、分離線２１の一端から斜め部分２１Ｓ  が延びている。
このため、分離線２１のうち一端から延びた斜め部分２１Ｓ  によって、残留部分３１の幅を広くすることができるので、この残留部分３１と両面テープ１０との間の粘着力を強くすることができ、剥離部分３２の剥離時に剥離部分３２に追随して残留部分３１が全て剥離してしまうことを防止することができる。
【００１７】
分離線２１の他端には、剥離紙２０の内側に向けて半円弧状に形成された切断可能な切断線が、破れ防止部２４として形成されている。この破れ防止部２４の切断線の形状は、円弧状だけでなく、Ｊ字状であってもよく、また、円弧状やＪ字状の切断線が左右対称に２方向に分岐していてもよく、種々の形状を採択しうる。
この破れ防止部２４によれば、分離線２１に沿って剥離紙２０を破ったときに、勢い余って剥離紙２０が必要以外の部分まで破れるのを防止することができる。
なお、破れ防止部２４は必ずしも形成されていなくてよい。
【００１８】
また、剥離紙２０の適所、例えば分離線２１の延長線上に、折る場所を示す目印２３、例えば「おる」の文字や破線等を印刷しておくと、折る場所がわかりやすい。このため、図５のように折り曲げて使用することができ、使用した後の両面シール１０に、剥離紙２０の剥離部分３２をキレイに重ね合わせて保護することができ、何度も両面シール１０を使用することができるので好適である。
【００１９】
つぎに、本実施形態の両面シール製品１の使用方法を説明する。
図４は本実施形態の両面シール製品１の使用説明図である。同図に示すように、両面シール製品１における両面シール１０の粘着層１２を、赤い羽根２に押しつけることにより、両面シール製品１を赤い羽根２に簡単に安全に取り付けることができる。両面シール１０の残りの粘着層１２には、剥離紙２０が重ね合わされているので、この粘着層１２の粘着力が劣化するのを防止することができる。なお、両面シール製品１を取り付ける対象は、上記赤い羽根２だけでなく、白色や緑色など種々の色の羽根に取り付けてもよい。また、結婚式やパーティなどのイベントにおいて、名札などの目印に取り付けることができる。
【００２０】
本実施形態の両面シール製品１によれば、以下の（１）〜（５）の作用効果を奏する。
（１）両面シール１０から剥離紙２０の剥離部分３２を剥離させると、分離線２１により剥離部分３２と残留部分３１は分けられているので、剥離部分が両面シールから剥離しても残留部分３１は両面シール１０に貼り付いたまま残り、この残留部分３１は剥離部分３２から切れずに繋がっている。このため、両面シール１０と剥離紙２０は分離しないので、剥離紙２０は捨てられず、ゴミとなるのを防止することができる。また、両面シール１０に剥離紙２０が切れずに繋がっているので、使用した後の両面シール１０の粘着層に剥離紙２０を重ね合わせて保護することができ、何度も両面シール１０を使用することができる。
【００２１】
（２）分離線２１の端縁に沿って細長い残留部分３１を形成することにより、剥離紙２０の中央部分に広い領域の残留部分３２を形成することができる。このため、両面シール１０の粘着層の中央部分を大きく露出させることができるので、両面シール１０を貼りやすい。
【００２２】
（３）分離線２１が、剥離紙２０の四辺のうち、三辺の端縁に沿って形成されているから、残留部分３１をコの字状にすることができる。このため、両面シール１０から剥離部分３２を剥離させたときに、勢い余って残留部分３１の一部分すなわち残留上端部３１ａ  が剥がれたとしても、残留側端部３１ｂ  まで剥がれることはなく、残りの残留側端部３１ｂ  および残留下端部３１ｃ  を両面シール１０に残留させることができる。このため、剥離部分３２の剥離時に、剥離部分３２に追随して残留部分３１までもが剥離してしまうことを防止することができる。
【００２３】
（４）分離線２１のうち一端から延びた斜め部分２１Ｓ  によって、残留部分３２の幅を広くすることができるので、この残留部分３２と両面テープ１０との間の粘着力を強くすることができ、剥離部分３２の剥離時に、剥離部分３２に追随して残留部分３２が全て剥離してしまうことを防止することができる。
【００２４】
（５）分離線２１の他端に、破れ防止部２４が形成されているので、分離線２１に沿って剥離紙２０を破ったときに、勢い余って剥離紙２０が必要以外の部分まで破れるのを防止することができる。
【００２５】
【発明の効果】
請求項１の発明によれば、両面シールから剥離紙の剥離部分を剥離させると、分離線により剥離部分と残留部分は分けられているので、剥離部分が両面シールから剥離しても残留部分は両面シールに貼り付いたまま残り、この残留部分は剥離部分から切れずに繋がっている。このため、両面シールと剥離紙は分離しないので、剥離紙は捨てられず、ゴミとなるのを防止することができる。また、両面シールに剥離紙が切れずに繋がっているので、使用した後の両面シールの粘着層に剥離紙を重ね合わせて保護することができ、何度も両面シールを使用することができる。
さらに、前記分離線の端縁に細長い残留部分を形成することにより、剥離紙の中央部分に残留部分を形成することができる。このため、両面シールの粘着層の中央部分を大きく露出させることができるので、両面シールを貼りやすい。
しかも、分離線が、剥離紙の四辺のうち、三辺の端縁に沿って形成されているから、残留部分をコの字状にすることができる。このため、両面シールから剥離部分を剥離させたときに、勢い余って残留部分の一部分である残留上端部が剥がれたとしても、残留側端部まで剥がれることはなく、残りの残留側端部および残留下端部  を両面シールに残留させることができる。このため、剥離部分の剥離時に、剥離部分に追随して残留部分までもが剥離することを防止することができる。
請求項２の発明によれば、分離線のうち一端から延びた斜め部分において、残留部分の幅を広くすることができるので、該残留部分と両面テープとの間の粘着力を強くすることができ、剥離部分の剥離時に、剥離部分に追随して残留部分が全て剥離してしまうことを防止することができる。
請求項３の発明によれば、分離線の他端に、破れ防止部が形成されているので、分離線に沿って剥離紙を破ったときに、勢い余って必要以外の部分まで剥離紙が破れるのを防止することができる。
【図面の簡単な説明】
【図１】本実施形態の両面シール製品１の平面図である。
【図２】（Ａ）は本実施形態の両面シール製品１の正面図、（Ｂ）は（Ａ）図の拡大図である。
【図３】両面シール１０から剥離紙２０が剥がされたときの概略斜視図である。
【図４】本実施形態の両面シール製品１の使用説明図である。
【図５】両面シール１０から剥離紙２０が剥がされたときの他の概略斜視図である。
【図６】従来の両面シール製品１０１  の使用説明図である。
【符号の説明】
１      両面シール製品
１０    両面シール
２０    剥離紙
２１    分離線
２１Ｓ      斜め部分
２４    破れ防止部
３１    残留部分
３２    剥離部分
【図１】
2004238563.tif 000003
【図２】
2004238563.tif 000004
【図３】
2004238563.tif 000005
【図４】
2004238563.tif 000006
【図５】
2004238563.tif 000007
【図６】
2004238563.tif 000008